(57)【特許請求の範囲】
【請求項１】
棒状抵抗体の両端にそれぞれ対面するように一対の端子板が取り付けられた抵抗体本体を、一面に開口部を有する箱型のケース内に収納し、前記端子板の一部を前記開口部から突出させた状態で埋設する抵抗器であって、
前記端子板は、前記ケースの開口縁部に面で当接する一対の端子着座部と、前記ケースの内壁に対して直線的に、かつ、面で当接する一対の端子支持部と、を有し、前記端子着座部は前記端子板の側壁部と垂直であることを特徴とする抵抗器。
【請求項２】
前記一対の端子着座部は、
前記端子板に形成された一対の切欠き溝により形成されることを特徴とする請求項１に記載の抵抗器。
【請求項３】
前記一対の端子支持部は、
前記端子板に形成された一対の切欠き溝により形成されることを特徴とする請求項１または２に記載の抵抗器。
【請求項４】
棒状抵抗体の両端にそれぞれ対面するように一対の端子板が取り付けられた抵抗体本体を、一面に開口部を有する箱型のケース内に収納し、前記端子板の一部を前記開口部から突出させた状態で埋設する抵抗器であって、
前記端子板は、前記ケースの開口縁部に面で当接する一対の端子着座部と、前記ケースの内壁に面で当接する一対の端子支持部と、を有し、
前記ケースの内壁の前記抵抗体本体の長さ方向に対して直交する位置に、前記端子板を取付けるための前記端子支持部を受け入れるガイド溝が設けられていることを特徴とする抵抗器。
【発明の詳細な説明】
【技術分野】
【０００１】
本発明は、抵抗器に関し、より詳細には巻線抵抗体または皮膜抵抗体をケースに収納する抵抗器の端子構造に関する。
【背景技術】
【０００２】
巻線抵抗体または皮膜抵抗体をケースに収納する抵抗器は、例えば、図１０（ｃ）に示すように、抵抗体本体８０をケース１００内に収納した際、端子板８７に設けた段部８９をケース１００の上端面に当接させることでケース１００の上端面に着座し、端子板８７はケース１００の上面から垂直上方に突出するように位置決めされる。
【０００３】
金属板からなる端子板やセラミックスからなるケースは、その加工の制約上、角が直角ではなく丸み（Ｒ）を帯びている。そのため、従来のような形状の段部（着座部）では、ケース内に抵抗体本体および端子を収納するときに、端子板がケースと当接する部分の面積が少なく、端子板の挿入位置がケース中心より左右のどちらか一方へ寄ってしまった場合には、端子板に形成された端子着座部の角のＲとケース開口部縁の角のＲが接触しやすくなる。その結果、端子がケース内に落ち込むように挿入されてしまうことがあり、端子板および抵抗体本体のケース内での位置やケース外部へ突出する端子板の方向・寸法にばらつきが生じるという問題がある。
【０００４】
特許文献１に記載の抵抗器は、図１０（ａ）、（ｂ）に示すように、端子板１３３が取り付けられた金属キャップ１３０を巻線抵抗体１２１の端部に取り付けた抵抗体本体１２０と、端子板１３３を外部に突出した状態で抵抗体本体１２０を収納するケース１１０と、ケース１１０内に充填される充填材１６０を備えた固定抵抗器であって、端子板付き金属キャップ１３０は、ケース１１０内に収納される部分にケース１１０の内側面に当接することで端子板１３３のケース１１０からの突出方向の位置決めをする位置決め係止部１３５を有する構造である。この構造により、端子板のケースからの突出方向がねじれることはないという効果を有する。
【先行技術文献】
【特許文献】
【０００５】
【特許文献１】特開平１１−１９５５０３号  「固定抵抗器」
【発明の概要】
【発明が解決しようとする課題】
【０００６】
図１０（ａ）、（ｂ）のような端子形状は、ケース内での端子および抵抗体の位置決めをするために端子板に位置決め係止部１３５を設けている。しかしながら、このような形状はプレス加工およびその金型の調整等のメンテナンスが複雑である。また、この位置決め係止部１３５の羽根部分はケース内壁に点で接している。そのため、係止部１３５は外力で変形しやすく、変形の度合いも左右の羽根部分では均等になりにくいため、ケース１１０内に挿入すると、抵抗体が斜めに挿入されてしまい、抵抗体を正しい姿勢に位置決めすることが困難であった。
【０００７】
従って、抵抗体本体１２０がケース１１０内で安定せず、ケース１１０中心に対する端子（板）１３３のズレやねじれ、これに伴う右側端子と左側端子のねじれを防止するのに十分でなかった。
【０００８】
本発明は、抵抗体本体がケース内で安定する構造を提供することを目的とする。また、ケース中心に対する端子のズレやねじれ、これに伴う右側端子と左側端子のねじれを抑制することを目的とする。
【課題を解決するための手段】
【０００９】
本発明の一観点によれば、棒状抵抗体の両端にそれぞれ対面するように一対の端子板が取り付けられた抵抗体本体を、一面に開口部を有する箱型のケース内に収納し、前記端子板の一部を前記開口部から突出させた状態で埋設する抵抗器であって、前記端子板は、前記ケースの開口縁部に面で当接する一対の端子着座部と、前記ケースの内壁に面で当接する一対の端子支持部と、を有することを特徴とする抵抗器が提供される。
【００１０】
前記開口縁部と内壁との両方に面接触することで端子板の前記棒状抵抗体の中心軸を回転軸とした傾きが抑制され、安定的に配置される。
【００１１】
着座部とケース開口縁部の角同士が接触することがなくなるため、端子着座部とケース開口縁部の接触が安定し（据わりが良くなり）、端子板の位置ズレを防止できる。端子着座部の直線部分が長く確保できるため、端子着座部の角の加工時において、従来よりも丸み（Ｒ）を小さく加工することもできる。
【００１２】
前記一対の端子着座部は、前記端子板に形成された一対の切欠き溝により形成されることを特徴とする。
【００１３】
切欠き溝を形成するだけの簡単な構成で安定した構造を実現できる。例えば、前記切欠き溝は、端子板の側壁部から内側に向けて形成され、前記端子着座部は、前記切欠き溝の上面により形成されている。前記一対の端子支持部は、前記端子板に形成された一対の切欠き溝により形成されることを特徴とする。前記端子支持部は、前記端子板の当接面がケースの内面に面で当接するように形成され、前記切欠き溝の下面が前記端子支持部の一部を成すことが好ましい。
これにより、端子板の回転移動を抑制することができる。
【００１４】
端子着座部の側壁部と端子支持部の当接面との間隔を、ケースの内壁と端子支持部の当接面との間にできる隙間の最大値よりも長くなるようにした（例えば、比率を２：５程度にした）ことで、端子板の回転移動を効率的に抑制することができる。
【００１５】
また、本発明は、棒状抵抗体の両端にそれぞれ対面するように一対の端子板が取り付けられた抵抗体本体を、一面に開口部を有する箱型のケース内に収納し、前記端子板の一部を前記開口部から突出させた状態で埋設する抵抗器であって、前記端子板は、前記ケースの開口縁部に面で当接する一対の端子着座部と、前記ケースの内壁に面で当接する一対の端子支持部と、を有し、前記ケースの内壁に、前記端子板を取付けるための前記端子支持部を受け入れるガイド溝が設けられていることを特徴とする抵抗器である。
【００１６】
また、本発明は、棒状抵抗体の両端にそれぞれ対面するように一対の端子板が取り付けられた抵抗体本体を、一面に開口部を有する箱型のケース内に収納し、前記端子板の一部を前記開口部から突出させた状態で埋設する抵抗器に用いる端子板であって、前記端子板は、前記ケースの開口縁部に面で当接する一対の端子着座部と、前記ケースの内壁に面で当接する一対の端子支持部と、を有することを特徴とする端子板である。
【００１７】
前記端子板の側壁部から内側に向けて一対の切欠き溝が形成されており、前記切欠き溝を形成する上側内壁部は、前記側壁部と垂直になっているのが好ましい。
【発明の効果】
【００１８】
本発明によれば、簡単な構成で端子着座部とケースの開口縁部が接触する部分を広く確保し、ケース内においてケース内壁と端子支持部の当接面が面で接触するため、抵抗体本体を安定して収納することができる。従って、ケースから突出する端子の長さと方向のばらつきを抑制することができる。
【図面の簡単な説明】
【００１９】
【図１】本発明の一実施の形態による抵抗器及びその端子構造の一例を示す斜視図である。
【図２】本発明の一実施の形態による抵抗器及びその端子構造の一例を示す斜視図である。
【図３】図３（ａ）、（ｂ）は、図１、図２の端子板を、それぞれ、図１に示すＡ方向、Ｂ方向から見た図である。
【図４】図４（ａ）は、本実施の形態による抵抗器の収容構造の一例を示す図であり、図４（ｂ）は、図１０（ｃ）に対応する従来の抵抗器の収容構造を示す図である。
【図５】図５（ａ）から（ｃ）までは、本発明の変形例として示す端子板の形状の例を示す図である。
【図６】図６（ａ）から図６（ｃ）までは、端子板の「ズレ」と「ねじれ」について説明するための図である。
【図７】抵抗器の位置ズレの検証結果を示す図である。
【図８】ケース上面から端子板の突出する先端までの寸法を計測した検証結果を示す図である。
【図９】本実施の形態による抵抗器の製造工程の概略例を示す図である。
【図１０】従来の巻線抵抗体または皮膜抵抗体をケースに収納する抵抗器の構成例を示す図である。
【発明を実施するための形態】
【００２０】
以下、本発明の一実施の形態による抵抗器及びその端子構造について図面を参照しながら詳細に説明する。
【００２１】
図１及び図２は、本実施の形態による抵抗器及びその端子構造の一例を示す斜視図である。図３（ａ）、（ｂ）は、図１、図２の端子板７を、それぞれ、Ａ方向、Ｂ方向から見た図である。抵抗器１は、大まかには、抵抗体本体２と、ケース１１とからなる。
【００２２】
抵抗体本体２は、例えば棒状の抵抗体３と、抵抗体３の両端部に装着された一対のキャップ５と、このキャップ５の内端部から、後述するケース外部方向へ立ち上がるように突出する例えば金属などの導電体からなる一対の平板状の端子板７と、を備えている。抵抗体３の両端にそれぞれ対面するように前記２つの端子板７を取り付けて抵抗体本体２とする。
【００２３】
一面に開口部１１ａを有する箱型のケース１１内に抵抗体本体２を収納し、ケース１１内に絶縁材（図示せず）を充填することで、端子板７の一部を開口部１１ａから前記ケース１１の上方に突出させた状態で埋設するようになっている。
【００２４】
端子板７は、図２に示すようにケース１１内に抵抗体本体２を挿入すると、ケース開口部１１ａの縁（開口縁部）１１ｂに当接する部分である端子着座部７ａを有している。この端子着座部７ａは、端子板７の一部をその側壁部７ｄ・７ｅの面から端子７の内側に向けて切欠いて形成した一対の凹状の溝部（切欠き溝）７ｂを設けることで簡単に形成することができる。一対の切欠き溝７ｂは、端子着座部７ａと後述する端子支持部７ｃとの間に形成され、図３（ａ）に示すように、端子板７の中心線Ｏで折り返すと、同じ形状となっている。特に、端子着座部７ａの位置は、端子板７の高さ方向において同じ位置に形成される。切欠き溝７ｂが端子板７において凹部であるのに対し、端子支持部７ｃと端子着座部７ａとは端子板７において凸部を形成する(突出する)。そして、端子着座部７ａは、開口縁部１１ｂと面で当接する。
【００２５】
切欠き溝７ｂを形成する上側内壁部（端子着座部７ａ）は、側壁部７ｄ・７ｅと垂直になっている。
【００２６】
このような面で当接する構造により、端子着座部７ａとケース開口縁部１１ｂの角同士が接触することがなくなるため、端子着座部７ａとケース開口縁部１１ｂの接触が安定し（据わりが良くなり）、ケース１１内に固定した抵抗体本体２の位置ズレを防止できる。端子着座部７ａの直線部分を長く確保することができるため、端子着座部７ａの角の加工時において、従来よりも丸み（Ｒ）を小さく加工することが可能となる。また、簡単な構成で安定した構造を実現できる。
【００２７】
さらに、端子板７は、端子着座部７ａの下方に、ケース１１内に抵抗体本体２を挿入するとケース１１の内壁１１ｃと端子板７の側壁部の一部である当接面７ｄで接する端子支持部(図１の囲み破線部分Ｌ１１)７ｃを有する。端子支持部７ｃは、当接面７ｄがケース１１の内壁に面で当接する（後述する図４（ａ）参照）。
【００２８】
ケース１１内に抵抗体本体２を挿入する際に端子板７の端子支持部７ｃを受け入れて抵抗体本体２をガイドする構成例として、ケース１１の内面に抵抗体本体２を案内するガイド溝１１ｄが形成されていても良い。以下では、ガイド溝１１ｄが形成されている例を説明するが、ガイド溝１１ｄがなく、端子板７の端子支持部７ｃが内壁１１ｃに面で当接する場合でもガイドする機能がないことを除いて同様の原理で機能させることが可能である。
【００２９】
図２に示すように、ケース１１内に抵抗体本体２を挿入し終わると、端子着座部７ａがケース開口部１１ａの縁（開口縁部）１１ｂに当接する。さらに、端子支持部７ｃが、ケース１１のガイド溝１１ｄ内の内壁１１ｃとその当接面７ｄで接する。端子支持部７ｃがケース内壁１１ｃに面で当接するため、端子支持部７ｃが外力によって変形しにくくなるとともに、端子着座部７ａを大きく取ることが可能となり、端子着座部７ａとケース開口縁部の１１ｂとの面接触が安定して確保される。従って、端子板７のケース１１内への落ち込みを防止することができる。端子板７が、互いに垂直な開口縁部１１ｂと内壁１１ｃとの両方の面に面接触することで端子板７の棒状の抵抗体３の中心軸を回転軸とした傾きが抑制され、安定的に配置される。
【００３０】
図４（ｂ）は、図１０（ｃ）に対応する抵抗器の収容構造を示す図であり、図４（ａ）は、本実施の形態による抵抗器１の収容構造の一例を示す図である。この図により、ケース開口縁部と端子着座部の接触部について比較する。
【００３１】
本実施の形態における端子着座部７ａは、端子板７を内側に切欠くことにより形成され、端子着座部７ａの角が端子板７の内側に入り込むことになるため、端子着座部７ａをケース１１から長く突出させなくても、接触部Ｐ２近傍において面接触する直線部分を長くとることができる。
【００３２】
従来の端子８７の接触部Ｐ１のように着座部とケース開口縁部の角同士が接触してしまうことがなく、端子着座部７ａとケース開口縁部１１ｂとの接触が安定し据わりが良くなる。従って、ケース１１と端子板７との位置ズレを防止することができる。
【００３３】
本実施の形態によれば、端子着座部７ａの直線部分が長く確保できるため、端子着座部７ａの角を加工する時に、従来よりも丸み（Ｒ）を小さく加工することもできるため、加工工程が簡単になる。
【００３４】
また、ケース１１内壁間（開口内）の寸法と端子支持部７ｃの幅寸法は可能な限り差がない方が端子板７の位置ズレを防止できるが、ケース１１の溝幅の寸法バラツキ（例えば±０．２ｍｍ）と、端子支持板７ｃの幅の寸法バラツキ（例えば、±０．０５ｍｍ）とを考慮すると、両者の間には隙間を持たせる必要がある。そこで、端子着座部７ａの側壁部７ｅと端子支持部７ｃの当接面７ｄとの間隔Ｗ１１を、ケース１１の内壁１１ｃと端子支持部７ｃの当接面７ｄとの間にできる隙間Ｗ１２の最大値よりも長くなるようにした（例えば、比率、Ｗ１２：Ｗ１１＝２：５程度にした）。すなわち、端子支持部７ｃの幅よりも一対の端子着座部７ａを有する端子領域の幅を長くなるようにした。
【００３５】
このように、本実施の形態による抵抗器及びその端子構造によれば、端子着座部７ａを、端子板７を内側に切込んだ溝状（凹状）に形成することにより、簡単な構成で端子着座部７ａとケース１１の開口縁部１１ｂが接触する部分を広く確保することができる。従って、ケース１１内に抵抗体本体２をねじれに対して安定して収納することができる。また、ケース１１から突出する端子板７の長さと方向を一定にすることができるため、抵抗器１の寸法バラツキを抑制することができる。
【００３６】
また、ケース内壁１１ｃに、抵抗体本体２をケース１１内に挿入する際のガイド溝１１ｄ（図１）を形成しておくことで、端子板７をケース１１内に挿入する作業を簡単に行うことができる。より高精度な位置決めとねじれ防止効果が得られる。
【００３７】
ガイド溝１１ｄに挿入する端子支持部７ｃを端子板７に形成し、抵抗体本体２をケース１１内に挿入した状態で、ケース１１のガイド溝１１ｄ内の内壁１１ｃと当接面７ｄとが当接するようにしておく。このようにしておくことで、ケース１１内に抵抗体本体２を嵌め込む際に、ねじれに対して端子位置ズレ防止やねじれを防止し、安定して収容することができる。
【００３８】
以下に、図９を参照しながら、抵抗器１の製造工程の概略について説明する。適宜、図１等も参照する。抵抗体本体２は、ステップＳ１からＳ４までにより形成される。ステップＳ１の抵抗皮膜の着膜工程では、セラミック芯等の絶縁材からなる芯材に抵抗皮膜（酸化錫など）を例えば加水分解法により着膜して抵抗体を作製する。抵抗皮膜の着膜後は抵抗値にばらつきがあるため、その後の抵抗値調整工程（ステップＳ３）の準備として、ステップＳ２では、初期抵抗値ごとに分類を行なう。ステップＳ３の抵抗値調整工程の後、ステップＳ４において、抵抗体の両端部に端子板７を挿入し、圧入工程などによりキャップ５を装着することで、端子板７とキャップ５とを備えた抵抗体本体２が完成する。
【００３９】
ステップＳ５以降に抵抗器１の組立工程を示す。
まず、ステップＳ５において、セラミックス等のケース１１に、絶縁材（セメント等）を充填する。続いて、ステップＳ６において、ステップＳ４で作製した抵抗体本体２をケース１１内に挿入し、ケース開口縁部１１ｂと端子着座部７ａとを当接させた状態を保持する。その後、ステップＳ７において、乾燥・焼付けを行なってからケース１１表面に定格等の表示を行い抵抗器１が完成する。
【００４０】
最後に、ステップＳ９において、抵抗器１の抵抗値の検測や本実施の形態で行なう検証２）、３）等の検査を行なうことで製品が完成する。
【００４１】
尚、抵抗体は、一例として酸化金属皮膜抵抗体を使用できるが、巻線抵抗体等とすることもできる。巻線抵抗体にする場合は、ステップＳ１は芯材に抵抗線を巻き付ける巻線工程、ステップＳ２は乾燥・焼付け、ステップＳ３は必要なく、ステップＳ４のキャップ装着方法として、かしめ工程を行うことになる。ほかの組立工程は共通である。
【００４２】
尚、本実施の形態における端子着座部７ａ及び端子支持部７ｃは、ステップＳ４の工程の前までに、端子板７の製造時にプレス等により形成しておくことが望ましい。
【００４３】
（変形例）
図５（ａ）から（ｃ）までは、本発明の変形例として示す端子板７の形状の例を示す図である。これらの端子板７には、例えば、端子着座部７ａと端子支持部７ｃとの間に切欠き（凹部、溝、窪み等）７ｂ−１〜３までがある。図５（ａ）の構造は、端子板７のケース開口１１ａより外側へ突出する方向において、切欠７ｂ−１上の端子着座部７ａの幅Ｗが同じように構成されている。
【００４４】
図５（ｂ）の構造では、端子板７のケース開口１１ａより外側へ突出する方向において、切欠７ｂ−２量が小さくなっている。図５（ｃ）の構造では、端子板７の内側（奥方向）に向けて切欠７ｂ−３幅が狭くなっており、奥方向において丸みを帯びた形状を有している。
【００４５】
このように、本実施の形態による切欠き溝は、ケースの開口縁部１１ｂと端子着座部７ａが平行となり、ケースの開口縁部と端子着座部の接触する長さ（面積）を従来よりも広くとることができる形状であれば良い。また、端子支持部７ｃの端子幅よりも、端子着座部７ａを有する領域の端子幅のほうが大きくなっている。
【００４６】
以下、従来の構造を比較例として本発明の実施例による構造との比較検証結果について説明する。
【００４７】
[実施例１]
まず、端子板７の「ズレ」と「ねじれ」について、図６（ａ）から図６（ｃ）までを参照しながら説明する。適宜、その他の図面も参照する。
【００４８】
「ズレ」（「横ズレ」、「位置ズレ」とも称する。）とは、ケース１１内に抵抗体本体２を挿入するとき、端子板７が、ケース１１中心位置（基準位置）から、ケース１１内の左または右へ偏って挿入されてしまった状態を示す（図６（ａ）、矢印方向におけるズレ量がΔＸである）。
【００４９】
このように、端子板７がケース１１内の左または右へ偏った状態で挿入されると、端子着座部７ａがケース１１の開口縁部１１ｂから外れてケース内へ入り込むことがあり、これにより端子がケース中心に挿入された状態と比べて傾く（図６（ａ）、矢印方向、回転量Δθ）こととなり、この傾いた状態を「ねじれ」と表現する。
【００５０】
端子板７の位置ズレにより端子板７のねじれが起こると、端子板７のケース１１からの突出量（突出高さ）の抵抗器１個体毎のばらつきが大きくなり、抵抗器１の基板への実装工程において、例えば自動処理を行うことが困難になるなどの問題が生じる。従って、端子板７のズレを抑制することは重要である。
【００５１】
図６（ｂ）、（ｃ）に示すように、端子板７のズレ量ΔＸは、ケース１１の一側面を基準面とし、その基準面ＭからＬ１、Ｌ２の寸法を測定した値を、以下の式（１）によりで計算して比較することができる。
【００５２】
ΔＸ＝（Ｌ１＋Ｌ２）／２−Ｌ３／２        式（１）
【００５３】
尚、Ｌ１，Ｌ２は、図６（ｂ）に示すケース１１の基準面Ｍから端子板の各側面までの距離であり、Ｌ３はケース１１の幅である。
【００５４】
この値ΔＸが０に近いほど、ケース１１に対する端子板７のズレ量が少なく、ケース１１の中心に端子板７が収まっていると言える。
【００５５】
尚、図６では、ガイド溝１１ｄの影響を考慮していない、但し、ガイド溝１１ｄは端子板７に対して溝の幅に余裕を持たせ、端子板７のピッチのばらつきに対応できるようになっているため、以下の検証結果に与える影響は小さい。
【００５６】
また、図６（ｂ）には端子高さＹ２の測定位置と端子位置ズレＹ１の測定位置とを図示している。端子高さＹ２は端子位置ズレの検証における測定位置であり、端子位置ズレＹ１は端子高さの検証における測定位置である。本実施の形態における端子板７は、端子着座部７ａが側方（外側）へ突出しているため、従来の端子との比較検証を行うにあたり測定位置（点）を定めている。
【００５７】
（検証結果）
以下に検証結果について説明する。ここでは、酸化金属皮膜抵抗体を用いた定格電力７Ｗの抵抗器について下記の検証を行った。尚、各検証においてロットＮｏ．が共通するものは同じサンプルを用いて検証を行なったことを意味する。
【００５８】
１）端子支持部の幅寸法依存性について
ケース１１の開口部１１ａを、縦３４．０±０．５ｍｍ×横８．０±０．２ｍｍとし、最も深い部分を９．５±０．３ｍｍとした場合の、端子支持部７ｃの幅について検討を行なった。
表１は、その検証結果を示すものである。
【００５９】
【表１】
0006371175.tif 000002
【００６０】
端子支持部７ｃの幅（寸法）を変えた抵抗器を３種類用意し、絶縁材による封止後の端子板７の位置ズレ（ΔＸ）を測定した。
【００６１】
その結果、端子支持部７ｃの幅が狭い抵抗器は、絶縁材に位置ズレの影響によると考えられるピンホールやクラックがみられ、端子支持部７ｃの幅が広いほど端子板のねじれが少ない良品が多いという傾向が見られた。
【００６２】
表１によれば、開口が８．０±０．２ｍｍの抵抗器において、端子支持部は７．７ｍｍ付近が最も適していることがわかる。
【００６３】
２）位置ズレの検証（測定機器：測微計（メーカー名：ニコン  MM-400L））
本実施の形態における端子板７を用いた抵抗器１と、比較例とした従来の端子板（図４（ｂ）参照）を用いた抵抗器を、それぞれ５０個×５ロットずつ試作した。そして、それぞれサンプルを２０個ずつランダムに選んで測定を行なった。尚、測定ポイントはケース上面より１１．５ｍｍの位置で、位置ズレの求め方は、上記の式（１）による。尚、図６（ｃ）に示す目印２１を基準に、右側であるか左側であるかを判定している。
【００６４】
図６（ｂ）の端子位置ズレＹ１の測定位置は、端子板７のある一点を定め、その測定位置から基準面Ｍの寸法（Ｌ１,Ｌ２）を測定した。この測定位置として、ケース開口縁部１１ｂから端子先端までの端子板７の長さの目標値を例えば13.0±0.3ｍｍとした場合、端子位置ズレにおいてはケース開口縁部１１ｂから11.5ｍｍの位置（Ｙ１）とした。
表２、図７は、その結果を示すものである。
【００６５】
【表２】
0006371175.tif 000003
【００６６】
従来の端子板を用いた抵抗器では、右側端子は−０．２７〜０．２１（差：０．４８）、左側端子は−０．２８〜０．１２（差：０．４０）の幅で端子板７の位置ズレが生じている。
【００６７】
一方、本実施例による端子板７を用いた抵抗器では、右側端子は−０．１６〜０．０９（差：０．２５）、左側端子は−０．１９〜０．０８（差：０．２７）の幅にまで位置ズレが低減され、本実施例による端子板７を用いることで、端子位置のばらつきが差の値で約半分まで低減されていることがわかる。
【００６８】
３）端子板の突出高さ
上記各サンプルについて、ケース１１上面から端子板７の突出する先端までの寸法を計測した。尚、目標値は、１３．０±０．３ｍｍである。図６（ｃ）に示す目印２１を基準に、右側であるか左側であるかを判定している。端子高さについては、ケース開口縁部１１ｂから端子先端までを測定した。これがＹ２である。
表３、図８は、その結果を示すものである。
【００６９】
【表３】
0006371175.tif 000004
【００７０】
寸法の数値が１３．００以上であり、かつ１３．００に近いほど、端子板７がケース１１中心に挿入されており、端子板７の位置ズレが少ない状態である。
【００７１】
比較例とした従来の端子板では、右側端子は最大でも１２．９８ｍｍ、左側端子は最大でも１２．９７ｍｍといずれも目標値以下となっている。
【００７２】
一方、本実施例による端子板７では、右側端子は１２．９４〜１３．０５ｍｍ、左側端子は１２．９３〜１３．０５ｍｍとなり、目標値の１３．００ｍｍに近いことがわかる。
【００７３】
本実施例による端子板７を用いると、端子板７の位置ズレが少なくなり、端子板７がケース１１内に落ち込みにくくなるため、ねじれも少なくなり、右側端子と左側端子との高さがともに目標値に近づいたと考えられる。
【００７４】
以上の検証結果から、本実施の形態による端子板構造を用いた抵抗器は、一般的な端子板を用いた場合よりも、位置ズレが少なく、端子板の突出高さも目標値に近いため、抵抗器の寸法バラツキを抑制し、より高精度な位置決めとねじれ防止効果が得られることがわかる。
【００７５】
本実施の形態によれば、簡単な構成で端子着座部とケースの開口縁部が接触する部分を広く確保し、ケース内に抵抗体本体を安定して収納することができる。従って、ケースから突出する端子の長さと方向のばらつきを抑制することができる。
【００７６】
ケース内壁に端子支持部が面で接触して抵抗体本体の位置を決めることにより、十分な端子位置ズレ防止やねじれ防止の効果が得られる。ケース内壁に支持部の寸法に応じたガイド溝を形成しておくと、このガイド溝に支持部を嵌めることにより、より高精度な位置決めとねじれ防止効果が期待できる。
【００７７】
上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００７８】
例えば、端子板自体も権利の範囲内である。また、固定構造は、充填材による固定に限られるものではない。
【００７９】
また、本発明の各構成要素は、任意に取捨選択することができ、取捨選択した構成を具備する発明も本発明に含まれるものである。
【産業上の利用可能性】
【００８０】
本発明は、抵抗器に利用可能である。
【符号の説明】
【００８１】
１…抵抗器、２…抵抗体本体、３…抵抗体、５…キャップ、５ａ…キャップの外方の端面、７…端子板、７ａ…端子着座部、７ｂ…切欠き溝、７ｃ…端子支持部、７ｄ…当接面、７ｅ…側壁部、１１…ケース、１１ａ…ケース開口部、１１ｂ…ケース開口縁部、１１ｃ…ケース内壁、１１ｄ…ガイド溝。
【図１】
0006371175.tif 000005
【図２】
0006371175.tif 000006
【図３】
0006371175.tif 000007
【図４】
0006371175.tif 000008
【図５】
0006371175.tif 000009
【図６】
0006371175.tif 000010
【図７】
0006371175.tif 000011
【図８】
0006371175.tif 000012
【図９】
0006371175.tif 000013
【図１０】
0006371175.tif 000014